(57)【要約】【課題】  アンカー軸に直交する抵抗力が、コンクリート表面部での指圧強度に依存することなく、繰り返しせん断力が作用した場合にも、接合面の破壊が表面部に大きく拡がることのない、埋め込み型のアンカー補助材を提供する。【解決手段】  上下方向の貫通孔１０周りに同心形成された、円形の側周部１１Ｒと、下方先端を頂部として側周部１１Ｒから頂部へ向かって曲面形成された、円錐面又は半球面からなる傾斜周部１２とを具備して構成される、中実の回転体１と、回転体１の回転軸Ａ１に沿って上下に貫通する貫通孔１０とから構成される。母材Ｂの母材表面ＢＦの近傍に埋め込み設置されて、アンカー筋Ａ１がせん断力を受けたとき、アンカー体の回転体１の傾斜周部１２の一側部が、当該一側部に対向する開口部ＢＤの一部に面圧接する。【選択図】図３
2019019638.tif 000002
【特許請求の範囲】
【請求項１】
上下方向の貫通孔周りに同心形成された、円形の側周部と、
下方先端を頂部として側周部から頂部へ向かって曲面形成された、円錐面又は半球面からなる傾斜周部とを具備して構成される、中実の回転体と、
回転体の回転軸に沿って上下に貫通する貫通孔とから構成され、母材の母材表面の近傍に埋め込み設置されるアンカー体であって、
アンカー筋が埋設固定されると共に母材表面へ向けてアンカー筋周りに拡がる開口部が形成された母材に対し、
前記アンカー体は、貫通孔内にアンカー筋を挿通させた状態で、開口部内に埋め込まれ、かつ、側周部よりも上部の構造体から下方への押圧力を受けた状態で母材表面の近傍に埋め込み設置されるものであり、
アンカー体が埋め込み設置された状態において、側周部よりも上部のアンカー筋がせん断力を受けたときに、アンカー体の回転体の傾斜周部の一側部が、当該一側部に対向する開口部の一部に面圧接することを特徴とする、埋め込み型アンカー補助材。
【請求項２】
アンカー体が埋め込み設置された状態において、側周部よりも上部のアンカー筋がせん断力を受けたときに、アンカー体の回転体の回転軸が一側方寄りの下方へ傾倒し、
傾斜周部のうち、この傾倒方向の一側部が、当該一側部に対向する開口部の一側部に対して、下方へずれながら面圧接すると共に、
傾斜周部のうち、前記傾倒方向と反対方向の他側部が、当該他側部に対向する開口部の他側部に対して、上方へずれながら面圧接する、請求項１記載の埋め込み型アンカー補助材。
【請求項３】
貫通孔の孔端と回転体の頂部との間には、貫通孔の孔端の全周に亘って、上下端を曲面とする面取り部が形成され、
傾斜周部の下端と接する面取り部の外境界端は、アンカー筋のアンカー筋径に対して１０２％〜１２０％の範囲内の縁径の縁円を形成する、請求項１記載の埋め込み型アンカー補助材。
【請求項４】
前記傾斜周部が、中央断面において所定以上の曲率を有する部分真球からなる、請求項１又は２に記載の埋め込み型アンカー補助材。
【請求項５】
上下方向の貫通孔周りに同心形成された、円形の側周部と、
下方先端を頂部として側周部から下頂部へ向かって曲面形成された、円錐面又は半球面からなる下方の傾斜周部と、
上方先端を頂部として側周部から上頂部へ向かって曲面形成された、円錐面又は半球面からなる上方の傾斜周部とを具備して構成される、中実の回転体と、
回転体の回転軸に沿って上下に貫通する貫通孔とから構成され、
第一母材と第二母材の境界に恒久的に埋め込み設置されるアンカー体であって、
アンカー筋が埋設固定されると共に母材表面へ向けてアンカー筋周りに拡がる開口部が形成された第一母材に対し、
前記アンカー体は、貫通孔内にアンカー筋を挿通させた状態で、開口部内に埋め込まれ、かつ、側周部よりも上部に継ぎ打設される第二母材からなる構造体から下方への押圧力を受けた状態で第一母材と第二母材の境界面に跨って埋め込み設置されるものであり、
アンカー体が第一母材,第二母材内に埋め込み設置された状態において、側周部よりも上部のアンカー筋がせん断力を受けたときに、
アンカー体の回転体の下方の傾斜周部の一側部が、当該一側部に対向する第一母材の開口部の一部に面圧接すると共に、
アンカー体の回転体の上方の傾斜周部の他側部が、当該他側部に対向する第二母材の開口部の一部に面圧接することを特徴とする、埋め込み型アンカー補助材。
【請求項６】
貫通孔の孔下端と回転体の下頂部との間には、貫通孔の孔端の全周に亘って、上下端を曲面とする面取り部が形成され、
貫通孔の孔上端と回転体の上頂部との間には、貫通孔の孔端の全周に亘って、上下端を曲面とする面取り部が形成され、
傾斜周部の下端と接する面取り部の外境界端、並びに、傾斜周部の上端と接する面取り部の外境界端は、共に、アンカー筋のアンカー筋径に対して１０２％〜１２０％の範囲内の共通する縁径の縁円を形成する、請求項５記載の埋め込み型アンカー補助材。
【請求項７】
下方の傾斜周部と、上方の傾斜周部との間には、所定の高さで上下方向の貫通孔周りに同心形成された、円周面からなる側周部が形成され、
前記アンカー体は、第一母材の母材表面と、第二母材の母材表面の境界面との間に側周部が跨がるように、第一母材と第二母材の継ぎ打設境界に埋め込み設置される、請求項５又は６に記載の埋め込み型アンカー補助材。
【発明の詳細な説明】
【技術分野】
【０００１】
コンクリート等の母材にアンカー筋が埋め込まれた母材構造（接合母材）の表面部分ないし打継境界（接合面）部分において、軸方向に対する直交力強度（せん断力強度）を増強させる補助材として使用される、埋め込み型アンカー補助材に関する。
【背景技術】
【０００２】
従来、コンクリート等の母材にアンカー筋が埋め込まれた母材構造（接合母材）の表面部分ないし打継境界（接合面）部分に設置されるアンカー材として、円錐台部と円錐台部の底部付近に設けられた回転手段とからなるアンカーボルト支持具が開示される（特許文献１参照）。
また、コンクリート構造物内に埋設されて雌型部材として用いられるインサート本体をセラミック製としたインサート器具が開示される（特許文献２参照）。このインサート器具の本体部は、その外周面に外径が本体部の下端に向かうに従い縮小するテーパ上の受け面を有し、全体的に外側に膨出する形態の球面状をなす。
【先行技術文献】
【特許文献】
【０００３】
【特許文献１】実公平７−４７５２７号公報
【特許文献２】実公平５−  ６３２６号公報
【発明の概要】
【発明が解決しようとする課題】
【０００４】
しかしながら、従来のこれらのアンカーは、アンカー軸に直交する抵抗力が、コンクリート表面部での指圧強度に依存している。このため、コンクリートの最縁部の強度が最大強度となり、これ以上の力が加わると、破壊面が表面部に沿って拡大していき、コンクリートの破壊が広い範囲で生じてしまう。
【０００５】
このようなものでは、繰り返しせん断力が作用した場合に、接合面の破壊が接合材外形の大きさ以上に大きく拡がってしまう。
【０００６】
そこで本発明では、アンカー軸に直交する抵抗力が、コンクリート表面部での指圧強度に依存することなく、繰り返しせん断力が作用した場合にも、接合面の破壊が表面部に大きく拡がることのない、埋め込み型のアンカー補助材を提供することを課題とする。
【課題を解決するための手段】
【０００７】
（１）上下方向の貫通孔１０周りに同心形成された、円形の側周部１１Ｒと、
下方先端を頂部として側周部１１Ｒから頂部へ向かって曲面形成された、円錐面又は半球面からなる傾斜周部１２とを具備して構成される、中実の（すなわち、構造材の充填体からなる）回転体１と、
回転体１の回転軸Ａ１に沿って上下に貫通する貫通孔１０とから構成され、母材Ｂの母材表面ＢＦの近傍に（恒久的に）埋め込み設置されるアンカー体であって、
アンカー筋Ａが埋設固定されると共に母材表面ＢＦへ向けてアンカー筋Ａ周りに拡がる開口部ＢＤが形成された母材Ｂに対し、
前記アンカー体は、貫通孔１０内にアンカー筋Ａを挿通させた状態で、開口部ＢＤ内に埋め込まれ、かつ、側周部１１Ｒよりも上部の構造体（第二母材Ｂ２又は押圧ナット３）から下方への押圧力を受けた状態で母材表面ＢＦの近傍に埋め込み設置されるものであり、
アンカー体が埋め込み設置された状態において、側周部１１Ｒよりも上部のアンカー筋Ａ１がせん断力を受けたときに、アンカー体の回転体１の傾斜周部１２の一側部が、当該一側部に対向する開口部ＢＤの一部に面圧接することを特徴とする、埋め込み型アンカー補助材。
【０００８】
回転体１の傾斜周部１２が母材Ｂの開口部ＢＤに面圧接することで、アンカー筋Ａが受ける水平方向のせん断力を他方向に分散させることができる。
【０００９】
（２）アンカー体が埋め込み設置された状態において、側周部１１Ｒよりも上部のアンカー筋Ａ１がせん断力を受けたときに、アンカー体の回転体１の回転軸Ａ１が一側方寄りの下方へ傾倒し、
傾斜周部１２のうち、この傾倒方向の一側部が、当該一側部に対向する開口部ＢＤの一側部に対して、下方へずれながら面圧接すると共に、
傾斜周部１２のうち、前記傾倒方向と反対方向の他側部が、当該他側部に対向する開口部ＢＤの他側部に対して、上方へずれながら面圧接する、請求項１記載の埋め込み型アンカー補助材。
【００１０】
（３）貫通孔１０の孔端と回転体１の頂部との間には、貫通孔１０の孔端の全周に亘って、上下端を曲面とする面取り部１２０が形成され、
傾斜周部１２の下端と接する面取り部１２０の外境界端１２２は、アンカー筋Ａのアンカー筋径ＡＤに対して１０２％〜１２０％の範囲内の縁径１２２Ｄの縁円を形成する、請求項１記載の埋め込み型アンカー補助材。
【００１１】
（４）前記傾斜周部１２が、中央断面において所定以上の曲率Ｃを有する部分球からなる、請求項１又は２に記載の埋め込み型アンカー補助材。
【００１２】
（５）上下方向の貫通孔１０周りに同心形成された、円形の側周部１１Ｒと、
下方先端を頂部として側周部１１Ｒから下頂部へ向かって曲面形成された、円錐面又は半球面からなる下方の傾斜周部１２と、
上方先端を頂部として側周部１１Ｒから上頂部へ向かって曲面形成された、円錐面又は半球面からなる上方の傾斜周部１３とを具備して構成される、中実の回転体１と、
回転体１の回転軸Ａ１に沿って上下に貫通する貫通孔１０とから構成され、
第一母材Ｂ１と第二母材Ｂ２の境界に恒久的に埋め込み設置されるアンカー体であって、
アンカー筋Ａが埋設固定されると共に母材表面ＢＦへ向けてアンカー筋Ａ周りに拡がる開口部ＢＤが形成された第一母材Ｂ１に対し、
前記アンカー体は、貫通孔１０内にアンカー筋Ａを挿通させた状態で、開口部ＢＤ内に埋め込まれ、かつ、側周部１１Ｒよりも上部に継ぎ打設される第二母材Ｂ２からなる構造体から下方への押圧力を受けた状態で第一母材Ｂ１と第二母材Ｂ２の境界面ＢＦに跨って埋め込み設置されるものであり、
アンカー体が第一母材Ｂ1,第二母材B２内に埋め込み設置された状態において、側周部１１Ｒよりも上部のアンカー筋Ａ１がせん断力を受けたときに、
アンカー体の回転体１の下方の傾斜周部１２の一側部が、当該一側部に対向する第一母材Ｂ１の開口部ＢＤの一部に面圧接すると共に、
アンカー体の回転体１の上方の傾斜周部１３の他側部が、当該他側部に対向する第二母材Ｂ２の開口部ＢＤの一部に面圧接することを特徴とする、埋め込み型アンカー補助材。
【００１３】
（６）貫通孔１０の孔下端と回転体１の下頂部との間には、貫通孔１０の孔端の全周に亘って、上下端を曲面とする面取り部１２０が形成され、
貫通孔１０の孔上端と回転体１の上頂部との間には、貫通孔１０の孔端の全周に亘って、上下端を曲面とする面取り部１３０が形成され、
傾斜周部１２の下端と接する面取り部１２０の外境界端１２２、並びに、傾斜周部１３の上端と接する面取り部１３０の外境界端１３２は、共に、アンカー筋Ａのアンカー筋径ＡＤに対して１０２％〜１２０％の範囲内の共通する縁径１２２Ｄ、１３２Ｄの縁円を形成する、請求項５記載の埋め込み型アンカー補助材。
【００１４】
（７）下方の傾斜周部１２と、上方の傾斜周部１３との間には、所定の高さ（軸方向長さ）で
上下方向の貫通孔１０周りに同心形成された、円周面からなる側周部１１Ｒが形成され、
前記アンカー体は、第一母材Ｂ１の母材表面ＢＦ１と、第二母材Ｂ２の母材表面ＢＦ２の境界面ＢＦとの間に側周部１１Ｒが跨がるように、第一母材Ｂ１と第二母材Ｂ２の継ぎ打設境界に埋め込み設置される、請求項５又は６に記載の埋め込み型アンカー補助材。
【発明の効果】
【００１５】
本発明では上記手段を講じることにより、アンカー軸に直交する外力（せん断力）を受けたとき、回転体１の傾斜周部１２が母材Ｂの開口部ＢＤに面圧接することで、アンカー筋Ａが受ける水平方向のせん断力を他方向に分散させることができる。
【００１６】
これにより、コンクリート表面部での支圧強度に依存することなく、繰り返しせん断力が作用した場合にも、接合面の破壊が表面部に大きく拡がることのない、埋め込み型のアンカー補助材を提供することを課題とする。
【図面の簡単な説明】
【００１７】
【図１】本発明の実施例１の埋め込み型アンカー補助材の設置構成例を示す分解斜視図。
【図２】実施例１の埋め込み型アンカー補助材の設置状態を示す中央断面図。
【図３】図２の設置状態においてせん断力を受けたときの力の発生方向を示す概念図。
【図４】本発明の実施例２の埋め込み型アンカー補助材の設置状態を示す中央断面図及びその部分拡大図。
【図５】本発明の実施例３の埋め込み型アンカー補助材の設置状態を示す中央断面図及びその部分拡大図。
【図６】図５の設置状態においてせん断力を受けたときの力の発生方向を示す概念図。
【図７】本発明の実施例４の埋め込み型アンカー補助材の設置状態を示す中央断面図。
【図８】本発明の実施例５の埋め込み型アンカー補助材の設置状態を示す中央断面図。
【図９】本発明の実施例６の埋め込み型アンカー補助材の設置状態を示す中央断面図。
【発明を実施するための形態】
【００１８】
以下、発明を実施するための形態例について実施例として示す各図とともに説明する。本発明は、鉄筋コンクリート構造物などの、アンカー筋を埋め込んで一端を突出させた母材の表面部分の強度確保、ないし、アンカー筋を埋め込んだ母材同士を、アンカー筋の突出延長先に打継ぎ打設して接合する場合の接合部分の強度確保に用いられる。例えば鉄鋼像柱脚アンカーボルトのベースプレートの下部や、駐車場などの車止めの固定ボルトなど、軸方向に直交する力が発生する箇所に用いることができる。
【００１９】
母材としては、コンクリート材、レンガ材、石材、アスファルト面などの固化済の高圧縮強度材、ないし、固化前のコンクリート部材があげられる。
【実施例１】
【００２０】
本発明の実施例１の埋め込み型アンカー補助材は、
上下方向の貫通孔１０周りに同心形成された、円形の側周部１１Ｒを周縁とする、平坦な天面１１と、
下方先端を頂部として天面１１の側周部１１Ｒから頂部へ向かって曲面形成された、円錐面又は半球面からなる傾斜周部１２とを具備して構成される、中実の（すなわち、構造材の充填体からなる）回転体１と、
回転体１の回転軸Ａ１に沿って上下に貫通する貫通孔１０とから構成される。Ｓ１は傾斜周部１２の下端（面取り部１２０の外境界端１２２）から上端（側周部１１Ｒの下端）までをつないだ外形の傾き線であり、軸線Ａ１との間に仰角１２θを形成する（図１，２）。この仰角１２θは少なくとも３５度以上８０度以下の範囲に設定されることが好ましく、さらに４０度以上５０度以下の範囲に設定されることがなお好ましい。
【００２１】
そして設置状態において、アンカー筋Ａが埋設固定されると共に母材表面ＢＦへ向けてアンカー筋Ａ周りに拡がる開口部ＢＤが形成された母材Ｂに対し、母材Ｂの母材表面ＢＦの近傍に（恒久的に）埋め込み設置される（図２，３）。この設置状態においては、前記アンカー体は、貫通孔１０内にアンカー筋Ａを挿通させた状態で、開口部ＢＤ内に埋め込まれ、かつ、側周部１１Ｒよりも上部の構造体である、押圧ナット３から下方への押圧力を受けた状態で母材表面ＢＦの近傍に埋め込み設置される。押圧ナット３は円形板の押圧板３１をナット本体３２の下端に固定し、縦方向にアンカー筋Ａと螺子接合する螺子孔３０が形成される。この押圧ナット３はアンカー補助剤の回転体１の重量の倍を超える押圧力を常に付与するものである。なお、実施例３以降に示すように、この押圧ナット３にかえて打継コンクリート構造体Ｂ２を打継ぎ形成してもよい。
【００２２】
そして、アンカー体が埋め込み設置され天面１１が押圧された状態において、側周部１１Ｒよりも上部のアンカー筋Ａ１がせん断力を受けたときに、アンカー体の回転体１の傾斜周部１２の一側部が、当該一側部に対向する開口部ＢＤの一部に面圧接する（図３）。
【００２３】
回転体１の傾斜周部１２が母材Ｂの開口部ＢＤに面圧接するようにアンカー体が軸断面視にて一側方へ傾倒する方向へ回転することで、アンカー筋Ａが受ける水平方向のせん断力を他方向に分散させることができる。
【００２４】
アンカー体が埋め込み設置された状態において、側周部１１Ｒよりも上部のアンカー筋Ａ１がせん断力を受けたときに、アンカー体の回転体１の回転軸Ａ１が一側方寄りの下方へ傾倒し、
傾斜周部１２のうち、この傾倒方向の一側部が、当該一側部に対向する開口部ＢＤの一側部に対して、下方へずれながら面圧接すると共に、
傾斜周部１２のうち、前記傾倒方向と反対方向の他側部が、当該他側部に対向する開口部ＢＤの他側部に対して、上方へずれながら面圧接する（図３）。
（せん断力を受けたときの力の発生）
本発明の設置状態においてせん断力が発生すると、軸材であるアンカー筋Ａ１には引っ張り力ＲＦ１が作用し、アンカー体は、アンカー体の重心位置を回転中心として、中央断面視にて一回転方向に（図３の時計回りに）回転するように傾倒する。このとき、反力となる圧縮側（図３の右下部分）では母材Ｂに対して、傾斜周部１２の法線方向の圧縮力により、母材を斜め方向（図３の斜め右下方向）に押し付けて抵抗する力ＣＦが発生する。
【００２５】
この際のせん断抵抗は、せん断面から補助材の軸方向重心位置までの距離の曲げモーメントに対して、軸材であるアンカー筋Ａ１の引っ張り力ＲＦ１と、傾斜周面１２の法線方向の圧縮力ＣＦのアンカー軸方向成分ＣＦ１との釣り合いをもとにして算出される。
【００２６】
母材を押し付けて抵抗する力は母材に設けられた開口部ＢＤの傾斜凹面に作用するところ、母材がコンクリート材や石材、レンガ等の高強度圧縮材である場合には、中実の高圧縮強度材からなるアンカー体の面圧接によって、母材の圧縮強度の１０倍程度の強度を発揮することができる。
【００２７】
本発明の抵抗のメカニズムは、母材表面又はそれよりも外側でせん断力が作用したときに、母材内部に設けられた、傾斜周面１２からなる空間内で、アンカー体が断面視にて一回転方向へ傾倒するように回転することにより、母材を軸直交に直接押し出す力を分散させて弱めるものである。すなわち、せん断力を傾斜周面１２の法線方向の圧縮力に変換して、実質的なせん断力への抵抗は、母材の圧縮抵抗力のうち軸直交成分ＣＦ２のみによるものとしている。これにより、打継境界である母材表面が広い範囲で破壊するのを防止することができる。
【００２８】
（面取り部１２０）
貫通孔１０の孔端と回転体１の頂部との間には、貫通孔１０の孔端の全周に亘って、上下端を曲面とする面取り部１２０が形成される。
【００２９】
特に、傾斜周部１２の下端と接する面取り部１２０の外境界端１２２は、アンカー筋Ａのアンカー筋径ＡＤに対して１０２％〜１２０％の範囲内の縁径１２２Ｄの縁円を形成する（図２）。図２の拡大図に示すように、面取り部１２０は軸断面において外境界端１２２を外端部とし、内境界端１２１を内端部とする部分円弧をなすことで、アンカー体が回転傾倒したときに貫通孔１０の下端部が係止することを防ぎ、この部分での応力集中の発生を回避して回転傾倒を容易なものとしている。また、アンカー筋Ａと開口部ＢＤとアンカー本体との間の隙間には、アンカー本体よりも圧縮強度の低い樹脂接着剤Ｇを充填することで、アンカー体の回転傾倒を促すものとしている。
【実施例２】
【００３０】
図４に示す本発明の実施例２の埋め込み型アンカー補助材においては、前記傾斜周部１２が、中央断面において所定以上の曲率Ｃを有する部分球からなる。この曲率Ｃは、天面１１の外径ないし貫通孔の孔長（天面１１から内境界端１２１までの距離）のいずれかを曲率半径とした曲率を基準としてプラスマイナス１０％の範囲内にあること、さらには天面１１の外径を曲率半径とした曲率を第一基準として第一基準のプラスマイナス５％の範囲内にあり、かつ、貫通孔の孔長（天面１１から内境界端１２１までの距離）のいずれかを曲率半径とした曲率を第二基準として第二基準のプラスマイナス５％の範囲内にあることが好ましい。あるいは、外境界端１２２の端径１２Ｄを曲率半径とした曲率を第三基準として、第一基準、第二基準、第三基準の中の最低曲率範囲と最高曲率範囲を範囲とする曲率範囲内に設定されることが好ましい。
【実施例３】
【００３１】
図５に示す本発明の実施例３の埋め込み型アンカー補助材においては、上下に傾斜周部１２，１３を有する。すなわち、実施例３の埋め込み型アンカー補助材は、
上下方向の貫通孔１０周りに同心形成された、円形の側周部１１Ｒと、
下方先端を頂部として側周部１１Ｒから下頂部へ向かって曲面形成された、円錐面又は半球面からなる下方の傾斜周部１２と、
上方先端を頂部として側周部１１Ｒから上頂部へ向かって曲面形成された、円錐面又は半球面からなる上方の傾斜周部１３とを具備して構成される、中実の回転体１と、
回転体１の回転軸Ａ１に沿って上下に貫通する貫通孔１０とから構成される。
【００３２】
そして、第一母材Ｂ１と第二母材Ｂ２の境界に恒久的に埋め込み設置される（図５）。
具体的には、アンカー筋Ａが埋設固定されると共に母材表面ＢＦへ向けてアンカー筋Ａ周りに拡がる開口部ＢＤが形成された第一母材Ｂ１に対し、前記アンカー体は、貫通孔１０内にアンカー筋Ａを挿通させた状態で、開口部ＢＤ内に埋め込まれ、かつ、側周部１１Ｒよりも上部に継ぎ打設される第二母材Ｂ２からなる構造体から下方への押圧力を受けた状態で第一母材Ｂ１と第二母材Ｂ２の境界面ＢＦに跨って埋め込み設置される。
【００３３】
このようにアンカー体が第一母材Ｂ1,第二母材B２内に埋め込み設置された状態において、側周部１１Ｒよりも上部のアンカー筋Ａ１がせん断力を受けたとき、
アンカー体の回転体１の下方の傾斜周部１２の一側部が、当該一側部に対向する第一母材Ｂ１の開口部ＢＤの一部に面圧接すると共に、
アンカー体の回転体１の上方の傾斜周部１３の他側部が、当該他側部に対向する第二母材Ｂ２の開口部ＢＤの一部に面圧接する（図６）。
【００３４】
（面取り部１２０、１３０）
貫通孔１０の孔下端と回転体１の下頂部との間には、貫通孔１０の孔端の全周に亘って、上下端を曲面とする面取り部１２０が形成され、
貫通孔１０の孔上端と回転体１の上頂部との間には、貫通孔１０の孔端の全周に亘って、上下端を曲面とする面取り部１３０が形成される。
【００３５】
傾斜周部１２の下端と接する面取り部１２０の外境界端１２２、並びに、傾斜周部１３の上端と接する面取り部１３０の外境界端１３２は、共に、アンカー筋Ａのアンカー筋径ＡＤに対して１０２％〜１２０％の範囲内の共通する縁径１２２Ｄ、１３２Ｄの縁円を形成する。
【実施例４】
【００３６】
図７に示す本発明の実施例４の埋め込み型アンカー補助材においても、実施例３と同様、下方の傾斜周部１２と、上方の傾斜周部１３とを、境界線からなる側周部１１Ｒを境界稜線として上下に連続して有する。実施例４の埋め込み型アンカー補助材においては、前記下方の傾斜周部１３、及び上方の傾斜周部１２が、いずれも中央断面において所定以上の曲率Ｃを有する部分球からなる。
【実施例５】
【００３７】
図８に示す本発明の実施例５の埋め込み型アンカー補助材においては、下方の傾斜周部１２と、上方の傾斜周部１３との間には、所定の高さ（軸方向長さ）で上下方向の貫通孔１０周りに同心形成された、円周面からなる側周部１１Ｒが形成される。
【００３８】
このアンカー体は、第一母材Ｂ１の母材表面ＢＦ１と、第二母材Ｂ２の母材表面ＢＦ２の境界面ＢＦとの間に側周部１１Ｒが跨がるように、第一母材Ｂ１と第二母材Ｂ２の継ぎ打設境界に埋め込み設置される。
【実施例６】
【００３９】
図９に示す本発明の実施例６の埋め込み型アンカー補助材においても、実施例５と同様、下方の傾斜周部１２と、上方の傾斜周部１３との間には、所定の高さ（軸方向長さ）で上下方向の貫通孔１０周りに同心形成された、円周面からなる側周部１１Ｒが形成される。実施例６の埋め込み型アンカー補助材においては、前記下方の傾斜周部１３、及び上方の傾斜周部１２が、いずれも中央断面において所定以上の曲率Ｃを有する部分球からなる。
【００４０】
このアンカー体は、第一母材Ｂ１の母材表面ＢＦ１と、第二母材Ｂ２の母材表面ＢＦ２の境界面ＢＦとの間に側周部１１Ｒが跨がるように、第一母材Ｂ１と第二母材Ｂ２の継ぎ打設境界に埋め込み設置される。
【００４１】
その他本発明は上述した実施例に限定されることなく、本発明の趣旨を逸脱しない範囲で適宜の形状変更、一体ないし別体構成による組み合わせ点数の変更、材質変更、付属形状ないし付属部品の付加、一部形状ないし一部部品の削除、高知の部品との組み合わせ、ないし置換が可能である。
【符号の説明】
【００４２】
回転体１
貫通孔１０
側周部１１Ｒ
傾斜周部１２、下方の傾斜周部１２
面取り部１２０
外境界端１２２
縁径１２２Ｄ、縁径１３２Ｄ
上方の傾斜周部１３、傾斜周部１３
面取り部１３０
外境界端１３２
押圧ナット３
押圧板３１
ナット本体３２
螺子孔３０
アンカー筋Ａ
アンカー筋径ＡＤ
回転軸Ａ１
母材Ｂ
第一母材Ｂ１
第二母材Ｂ２
開口部ＢＤ
母材表面ＢＦ
母材表面ＢＦ１
母材表面ＢＦ２
曲率Ｃ
母材表面ＢＦ、境界面ＢＦ
アンカー筋Ａ１
樹脂接着剤Ｇ
【図１】
2019019638.tif 000003
【図２】
2019019638.tif 000004
【図３】
2019019638.tif 000005
【図４】
2019019638.tif 000006
【図５】
2019019638.tif 000007
【図６】
2019019638.tif 000008
【図７】
2019019638.tif 000009
【図８】
2019019638.tif 000010
【図９】
2019019638.tif 000011